【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
無端移動する表面に潜像を担持する複数の潜像担持体と、それぞれの潜像担持体を個別に駆動するための複数の駆動源と、画像情報に基づいてそれぞれの潜像担持体に潜像を書き込む潜像書込手段と、それぞれの潜像担持体に書き込まれた潜像を個別に現像して可視像を得る複数の現像手段とを有する可視像形成手段と、
それぞれの潜像担持体との対向位置を順次通過するように表面を無端移動させる無端移動体と、
それぞれの潜像担持体の表面に形成された可視像を、該無端移動体の表面に保持される記録体に転写するか、あるいは該無端移動体の表面に転写した後に記録体に転写する転写手段と、
該無端移動体上の可視像を検知する像検知手段と、
所定の可視像をそれぞれの潜像担持体から該無端移動体の表面に転写して得た位置ズレ検知用画像の該像検知手段による検知結果に基づいて、それぞれの潜像担持体に形成される可視像の間における相対的な位置ズレ量を算出し、それら潜像担持体の表面移動速度の間に前記相対的な位置ズレ量に応じた表面線速差を設けるように、前記相対的な位置ズレ量に基づいてそれぞれの該駆動源についての駆動速度を個別に設定する位置ズレ補正制御を実施する制御手段とを備える画像形成装置において、
それぞれの駆動源を互いに同じ速度で駆動した状態で上記位置ズレ検知用画像の形成及び検知を行うように、上記制御手段を構成したことを特徴とする画像形成装置。
【請求項２】
請求項１の画像形成装置において、
上記位置ズレ補正制御の実施中にエラーが発生した場合には、それ以降の画像形成動作にて、それぞれの駆動源の駆動速度を、前回の位置ズレ補正制御によって求めておいた速度に個別に設定するように、上記制御手段を構成したことを特徴とする画像形成装置。
【請求項３】
請求項１の画像形成装置において、
上記位置ズレ補正制御が異常終了した場合には、それ以降の画像形成動作にて、それぞれの駆動源の駆動速度を、前回の位置ズレ補正制御によって求めておいた速度に個別に設定するように、上記制御手段を構成したことを特徴とする画像形成装置。
【請求項４】
請求項１乃至３の何れかの画像形成装置において、
上記位置ズレ補正制御を正常に終えた後、それぞれの駆動源を停止させないままに上記記録体に転写するための画像形成動作を行う場合には、該画像形成動作に先立ってそれぞれの駆動源の駆動速度を該位置ズレ補正制御で求めておいた速度に設定するように、上記制御手段を構成したことを特徴とする画像形成装置。
【請求項５】
回転する表面に潜像を担持する複数の潜像担持体と、それぞれの潜像担持体を個別に駆動するための複数の駆動源と、画像情報に基づいてそれぞれの潜像担持体に潜像を書き込む潜像書込手段と、それぞれの潜像担持体に書き込まれた潜像を個別に現像して可視像を得る複数の現像手段とを有する可視像形成手段と、
それぞれの潜像担持体との対向位置を順次通過するように表面を無端移動させる無端移動体と、
それぞれの潜像担持体の表面に形成された可視像を、該無端移動体の表面に保持される記録体に転写するか、あるいは該無端移動体の表面に転写した後に記録体に転写する転写手段と、
該無端移動体上の可視像を検知する像検知手段と、
複数の潜像担持体のそれぞれについて、所定の回転角度になったことを検知する回転角度検知手段と、
所定の制御を実施する制御手段とを備え、
該制御手段が、
所定の可視像をそれぞれの潜像担持体から該無端移動体の表面に転写して得た位置ズレ検知用画像の該像検知手段による検知結果に基づいて、それぞれの潜像担持体上における可視像の相対的な位置ズレ量を算出し、それぞれの潜像担持体に形成される可視像の間における相対的な位置ズレ量を算出し、それら潜像担持体の表面移動速度の間に前記相対的な位置ズレ量に応じた表面線速差を設けるように、前記相対的な位置ズレ量に基づいてそれぞれの該駆動源についての駆動速度を個別に設定する位置ズレ補正制御と、
該潜像担持体に対して所定の複数の可視像からなる速度変動検知用画像を形成して上記無端移動体に転写した後、該速度変動検知用画像の該像検知手段による検知結果、及び該回転角度検知手段による検知結果に基づいて該潜像担持体の１回転あたりにおける速度変動パターンを検出する変動パターン検出制御と、
それぞれの潜像担持体についての該速度変動パターンの結果に基づいて、それぞれの潜像担持体の該速度変動パターンの位相を調整する位相調整制御とを実施するものである画像形成装置において、
それぞれの駆動源を互いに同じ速度で駆動した状態で上記速度変動検知用画像の形成及び検知を行うように、上記制御手段を構成したことを特徴とする画像形成装置。
【請求項６】
請求項５の画像形成装置において、
それぞれの駆動源を互いに同じ速度で駆動した状態で上記位置ズレ検知用画像の形成及び検知を行うように、上記制御手段を構成したことを特徴とする画像形成装置。
【請求項７】
請求項６の画像形成装置において、
上記画像情報に基づく画像を上記記録体に形成した後、上記複数の潜像担持体のそれぞれにおける上記速度変動パターンの位相を調整した状態で、上記複数の駆動源の駆動をそれぞれ停止することで、それら駆動源を次に駆動する際における複数の潜像担持体の速度変動パターンの位相を予め調整する制御を、上記位相調整制御として実施するように、上記制御手段を構成したことを特徴とする画像形成装置。
【請求項８】
請求項７の画像形成装置において、
上記変動パターン検出制御にて、上記複数の潜像担持体の何れか１つである基準潜像担持体についての上記速度変動検知用画像と、他の潜像担持体についての上記速度変動検知用画像とを、上記無端移動体の表面に対して表面移動方向と直交する方向に並べて転写するように、該基準潜像担持体に対する上記速度変動検知用画像の形成を、該基準潜像担持体についての上記回転角度検知手段による検知結果に基づいて開始する一方で、該他の潜像担持体に対する上記速度変動検知用画像の形成を該検知結果に基づいて開始し、
且つ、それら速度変動検知用画像の速度変動パターンの位相ズレに基づいて、上記位相調整制御における該他の潜像担持体に対応する上記駆動源の駆動停止タイミングを決定するように、上記制御手段を構成したことを特徴とする画像形成装置。
【請求項９】
請求項８の画像形成装置において、
上記変動パターン検出制御を実施するのに先立ち、上記複数の駆動源をそれぞれ駆動し、それら駆動源の駆動を、上記駆動停止タイミングに代えて、予め定められた基準タイミングで停止し、且つ、それら駆動源をそれぞれ再駆動してから、該変動パターン検出制御を実施するように、上記制御手段を構成したことを特徴とする画像形成装置。
【請求項１０】
請求項９の画像形成装置において、
上記変動パターン検出制御の実施にあたっては、それぞれの駆動源を互いに同じ駆動速度に設定した状態でそれぞれの駆動源の駆動を開始するように、上記制御手段を構成したことを特徴とする画像形成装置。
【請求項１１】
請求項１０の画像形成装置において、
上記変動パターン検出制御を実施した後に、それぞれの駆動源を停止させないままに上記記録体に転写するための画像形成動作を行う場合には、上記位相調整制御を実施し、更にそれぞれの駆動源の駆動速度を上記位置ズレ補正制御で求めておいた速度にしてから、該画像形成動作を行うように、上記制御手段を構成したことを特徴とする画像形成装置。
【請求項１２】
請求項１乃至１１の何れかの画像形成装置において、
それぞれの上記駆動源を互いに同じ駆動速度で駆動しながらの上記位置ズレ補正制御又は変動パターン検出制御を正常に終えてそれぞれの該駆動源を停止させた後には、それぞれの駆動源を上記位置ズレ補正制御で求めておいた駆動速度で駆動する設定をＯＮにするように、上記制御手段を構成したことを特徴とする画像形成装置。
【手続補正２】
【補正対象書類名】明細書
【補正対象項目名】００１２
【補正方法】変更
【補正の内容】
【００１２】
上記目的を達成するために、請求項１の発明は、無端移動する表面に潜像を担持する複数の潜像担持体と、それぞれの潜像担持体を個別に駆動するための複数の駆動源と、画像情報に基づいてそれぞれの潜像担持体に潜像を書き込む潜像書込手段と、それぞれの潜像担持体に書き込まれた潜像を個別に現像して可視像を得る複数の現像手段とを有する可視像形成手段と、それぞれの潜像担持体との対向位置を順次通過するように表面を無端移動させる無端移動体と、それぞれの潜像担持体の表面に形成された可視像を、該無端移動体の表面に保持される記録体に転写するか、あるいは該無端移動体の表面に転写した後に記録体に転写する転写手段と、該無端移動体上の可視像を検知する像検知手段と、所定の可視像をそれぞれの潜像担持体から該無端移動体の表面に転写して得た位置ズレ検知用画像の該像検知手段による検知結果に基づいて、それぞれの潜像担持体に形成される可視像の間における相対的な位置ズレ量を算出し、それら潜像担持体の表面移動速度の間に前記相対的な位置ズレ量に応じた表面線速差を設けるように、前記相対的な位置ズレ量に基づいてそれぞれの該駆動源についての駆動速度を個別に設定する位置ズレ補正制御を実施する制御手段とを備える画像形成装置において、それぞれの駆動源を互いに同じ速度で駆動した状態で上記位置ズレ検知用画像の形成及び検知を行うように、上記制御手段を構成したことを特徴とするものである。
また、請求項２の発明は、請求項１の画像形成装置において、上記位置ズレ補正制御の実施中にエラーが発生した場合には、それ以降の画像形成動作にて、それぞれの駆動源の駆動速度を、前回の位置ズレ補正制御によって求めておいた速度に個別に設定するように、上記制御手段を構成したことを特徴とするものである。
また、請求項３の発明は、請求項１の画像形成装置において、上記位置ズレ補正制御が異常終了した場合には、それ以降の画像形成動作にて、それぞれの駆動源の駆動速度を、前回の位置ズレ補正制御によって求めておいた速度に個別に設定するように、上記制御手段を構成したことを特徴とするものである。
また、請求項４の発明は、請求項１乃至３の何れかの画像形成装置において、上記位置ズレ補正制御を正常に終えた後、それぞれの駆動源を停止させないままに上記記録体に転写するための画像形成動作を行う場合には、該画像形成動作に先立ってそれぞれの駆動源の駆動速度を該位置ズレ補正制御で求めておいた速度に設定するように、上記制御手段を構成したことを特徴とするものである。
また、請求項５の発明は、回転する表面に潜像を担持する複数の潜像担持体と、それぞれの潜像担持体を個別に駆動するための複数の駆動源と、画像情報に基づいてそれぞれの潜像担持体に潜像を書き込む潜像書込手段と、それぞれの潜像担持体に書き込まれた潜像を個別に現像して可視像を得る複数の現像手段とを有する可視像形成手段と、それぞれの潜像担持体との対向位置を順次通過するように表面を無端移動させる無端移動体と、それぞれの潜像担持体の表面に形成された可視像を、該無端移動体の表面に保持される記録体に転写するか、あるいは該無端移動体の表面に転写した後に記録体に転写する転写手段と、該無端移動体上の可視像を検知する像検知手段と、複数の潜像担持体のそれぞれについて、所定の回転角度になったことを検知する回転角度検知手段と、所定の制御を実施する制御手段とを備え、該制御手段が、所定の可視像をそれぞれの潜像担持体から該無端移動体の表面に転写して得た位置ズレ検知用画像の該像検知手段による検知結果に基づいて、それぞれの潜像担持体に形成される可視像の間における相対的な位置ズレ量を算出し、それら潜像担持体の表面移動速度の間に前記相対的な位置ズレ量に応じた表面線速差を設けるように、前記相対的な位置ズレ量に基づいてそれぞれの該駆動源についての駆動速度を個別に設定する位置ズレ補正制御と、該潜像担持体に対して所定の複数の可視像からなる速度変動検知用画像を形成して上記無端移動体に転写した後、該速度変動検知用画像の該像検知手段による検知結果、及び該回転角度検知手段による検知結果に基づいて該潜像担持体の１回転あたりにおける速度変動パターンを検出する変動パターン検出制御と、それぞれの潜像担持体についての該速度変動パターンの結果に基づいて、それぞれの潜像担持体の該速度変動パターンの位相を調整する位相調整制御とを実施するものである画像形成装置において、それぞれの駆動源を互いに同じ速度で駆動した状態で上記速度変動検知用画像の形成及び検知を行うように、上記制御手段を構成したことを特徴とするものである。
また、請求項６の発明は、請求項５の画像形成装置において、それぞれの駆動源を互いに同じ速度で駆動した状態で上記位置ズレ検知用画像の形成及び検知を行うように、上記制御手段を構成したことを特徴とするものである。
また、請求項７の発明は、請求項６の画像形成装置において、上記画像情報に基づく画像を上記記録体に形成した後、上記複数の潜像担持体のそれぞれにおける上記速度変動パターンの位相を調整した状態で、上記複数の駆動源の駆動をそれぞれ停止することで、それら駆動源を次に駆動する際における複数の潜像担持体の速度変動パターンの位相を予め調整する制御を、上記位相調整制御として実施するように、上記制御手段を構成したことを特徴とするものである。
また、請求項８の発明は、請求項７の画像形成装置において、上記変動パターン検出制御にて、上記複数の潜像担持体の何れか１つである基準潜像担持体についての上記速度変動検知用画像と、他の潜像担持体についての上記速度変動検知用画像とを、上記無端移動体の表面に対して表面移動方向と直交する方向に並べて転写するように、該基準潜像担持体に対する上記速度変動検知用画像の形成を、該基準潜像担持体についての上記回転角度検知手段による検知結果に基づいて開始する一方で、該他の潜像担持体に対する上記速度変動検知用画像の形成を該検知結果に基づいて開始し、且つ、それら速度変動検知用画像の速度変動パターンの位相ズレに基づいて、上記位相調整制御における該他の潜像担持体に対応する上記駆動源の駆動停止タイミングを決定するように、上記制御手段を構成したことを特徴とするものである。
また、請求項９の発明は、請求項８の画像形成装置において、上記変動パターン検出制御を実施するのに先立ち、上記複数の駆動源をそれぞれ駆動し、それら駆動源の駆動を、上記駆動停止タイミングに代えて、予め定められた基準タイミングで停止し、且つ、それら駆動源をそれぞれ再駆動してから、該変動パターン検出制御を実施するように、上記制御手段を構成したことを特徴とするものである。
また、請求項１０の発明は、請求項９の画像形成装置において、上記変動パターン検出制御の実施にあたっては、それぞれの駆動源を互いに同じ駆動速度に設定した状態でそれぞれの駆動源の駆動を開始するように、上記制御手段を構成したことを特徴とするものである。
また、請求項１１の発明は、請求項１０の画像形成装置において、上記変動パターン検出制御を実施した後に、それぞれの駆動源を停止させないままに上記記録体に転写するための画像形成動作を行う場合には、上記位相調整制御を実施し、更にそれぞれの駆動源の駆動速度を上記位置ズレ補正制御で求めておいた速度にしてから、該画像形成動作を行うように、上記制御手段を構成したことを特徴とするものである。
また、請求項１２の発明は、請求項１乃至１１の何れかの画像形成装置において、それぞれの上記駆動源を互いに同じ駆動速度で駆動しながらの上記位置ズレ補正制御又は変動パターン検出制御を正常に終えてそれぞれの該駆動源を停止させた後には、それぞれの駆動源を上記位置ズレ補正制御で求めておいた駆動速度で駆動する設定をＯＮにするように、上記制御手段を構成したことを特徴とするものである。